(57)【要約】【課題】ショット後の弾道が真直ぐ、スライス又はフックであることを確認することにより、ショットフォームの矯正ができ、且つ爽快な打撃音を発するティーショット用ゴルフ練習具【解決手段】本ティーショット用ゴルフ練習具１は、可撓性の材質からなる円形状の筒体に、内部空洞の円錐台形状のゴルフティー挟持部１５を備え、このゴルフティー挟持部１５の底部は、上記円形筒体底部の内周面に接し、ティー挟持部の上部から底部に向かって、平面視で放射線状の複数のスリット１８を備える。このティーショット用ゴルフ練習具１をティーグランド（芝５０及び地面４０）に挿入設置したティー３０の頭部を可撓性のティー挟持部１５で挟持することによりティー３０上に載置し、ドライバ又はスプーンでショットする。【選択図】図９
2010022611.tif 000002
【特許請求の範囲】
【請求項１】
ティーショット用ゴルフ練習具であって、該ティーショット用ゴルフ練習具は縦長の円形筒体であり、材質は可撓性を有する紙、樹脂、エラストマ及びゴムの群のうちから選ばれる少なくとも１種からなり、
外径は、        １５ｍｍ〜４０ｍｍ、
高さは、        ４０ｍｍ〜１００ｍｍ、
肉厚は、        ０．０５ｍｍ〜０．５０ｍｍ、
であることを特徴とするティーショット用ゴルフ練習具。                                   
【請求項２】
上記材質は、可撓性を有する紙及び紙に樹脂をコーティングしたものの群から選ばれる１種である請求項１記載のティーショット用ゴルフ練習具。
【請求項３】
外周面にディンプルを有する請求項１又は請求項２記載のティーショット用ゴルフ練習具。
【請求項４】
更に、内部にティー挟持部を備え、該ティー挟持部は
（Ａ）内部空洞の円錐台形状であり、
（Ｂ）底部が、上記円形筒体底部の内周面に接し、
（Ｃ）材質は可撓性を有する紙、樹脂、エラストマ及びゴムの群のうちから選ばれる少なくとも１種からなり
（Ｄ）上部から底部に向かって、平面視で放射線状の複数のスリットを備える
請求項１乃至請求項３のいずれか１項に記載のティーショット用ゴルフ練習具。
【請求項５】
人工芝層と、衝撃吸収層とからなり、該人工芝層と衝撃吸収層には請求項１乃至請求項４のいずれか１項に記載のゴルフ練習具を挿入するための平面視で正多角形の貫通孔を有することを特徴とするティーショット練習用マット。
【発明の詳細な説明】
【技術分野】
【０００１】
本願発明はティーショット用ゴルフ練習具及びティーショット練習用マットに関する。詳しくはゴルフボールの代替となるティーショット練習具及びこれを使用するためのティーショット練習用マットに関する。
【背景技術】
【０００２】
ゴルフのティーショットの練習をする場合に、実物のゴルフボールを使用するには広い練習場が必要である。このため、従来から簡易にティーショットを練習する工夫がなされてきた。例えば、ゴルフ練習用ネットケージを使用して練習する方法が開示されている（特許文献１参照。）。この方法は実物のゴルフボールをティーショットできるため、臨場感のある練習ができる。
【０００３】
また、実物のゴルフボールを使用する代わりに、円筒形であってリング状の軟質ゴム製のティーショット用のゴルフ練習具が開示されている（特許文献２参照）。この方法では、ティーショットゴルフ練習具の飛距離が小さいためネットケージを使用する必要が無く、上記ゴルフ練習用ネットケージを使用して練習する方法よりも、一層簡易にティーショットの練習が可能である。
【特許文献１】特開２００４−１８７８３３号公報
【特許文献２】実用新案登録第３０８２４３５号公報
【発明の開示】
【発明が解決しようとする課題】
【０００４】
しかし、上記ゴルフ練習用ネットケージを使用して練習する方法においては、相当程度のネットケージ設置のための敷地が必要であるうえに、飛距離が制限されるためにショットしたボールの弾道が明確でない。このため、ショットしたボールがフックボールであるのかスライスボールであるのかの判断は容易でなく、自分のショットフォームの確認又はフォームの修正ができない。
【０００５】
また、上記円筒形であってリング状の軟質ゴム製のティーショットゴルフ練習用具を使用する場合、ティーの頭部は非常に小さく（約１０ｍｍ）、且つ円形に凹部が設けられているため、この筒状のティーショットゴルフ練習用具を横置き状態でゴルフティーの上に安定して載置することが困難である。また、この横置き状態でショットをしてもスライス回転又はフック回転は生じないためゴルフクラブのフェイスが正しくこれをショットしているのかの判断ができない。更に、これをゴルフティーの上に縦置きに載置するのは不可能といってよい。
【０００６】
そこで、本願発明者は上記欠点を解決するために、ショット後の弾道がスライスショット又はフックショットであることを確認することにより、ショットフォームの矯正ができ、且つ爽快な打撃音を発するティーショット用ゴルフ練習具及びティーショット練習用マットを提供する。
【課題を解決するための手段】
【０００７】
本願発明は下記のとおりである。
１．ゴルフボールに代替するティーショット用ゴルフ練習具であって、該ティーショット用ゴルフ練習具は縦長の円形筒体であり、材質は可撓性を有する紙、樹脂、エラスト及びゴムの群のうちから選ばれる少なくとも１種からなり、
外径は、外径は５ｍｍ〜４０ｍｍ、高さは４０ｍｍ〜１００ｍｍ、肉厚は０．０５ｍｍ〜０．５０ｍｍ、のティーショット用ゴルフ練習具である。この縦長の円形筒体であるティーショット用ゴルフ練習具を縦置きに設置してゴルフクラブのドライバ又はゴルフスプーンでショットする。これによりゴルフクラブのフェイスのあたる角度によっては、このティーショット用ゴルフ練習具にフック又はスライスの回転が生じる。
２．上記材質は、紙及び紙に樹脂をコーティングしたものの群から選ばれる１種であるのティーショット用ゴルフ練習具。
３．上記円形筒体の外周面にディンプルを有するティーショット用ゴルフ練習具。
４．更に、内部にティー挟持部を備え、該ティー挟持部は
（Ａ）内部空洞の円錐台形状であり、
（Ｂ）底部が、上記円形筒体底部の内周面に接し、
（Ｃ）材質は可撓性を有する紙、樹脂エラストマ及びゴムの群のうちから選ばれる少なくとも１種からなり
（Ｄ）上部から底部に向かって、平面視で放射線状の複数のスリットを備えるティーショット用ゴルフ練習具。
５．人工芝層と、衝撃吸収層とからなり、該人工芝層と衝撃吸収層には上記ゴルフ練習具を挿入するための平面視正多角形の貫通孔を有するティーショット練習用マット。
【発明の効果】
【０００８】
本願発明のティーショット用ゴルフ練習具は、縦長の筒体であり、縦置き状態でドライバ等でショットする。このため、ショットによってはティーショット用ゴルフ練習具にスライス回転又はフック回転が生じる。このためフックショット又はスライスショットの判断ができ自分の打撃フォームを容易にチェックできる。また、本ティーショット用ゴルフ練習具は可撓性の円形筒体であるため、ショットの衝撃により円筒内の空気圧の急激な上昇を円筒の上端部及び／又は下端部から逃がすため、爽快な打撃音が発生して実物のゴルフボールをショットしたと同一の感覚を持つことができる。また、本願発明のティーショット用ゴルフ練習具は、軽量であるためショットにより危険は非常に少ない。
また、本ティーショット用ゴルフ練習具の材質が、可撓性を有する紙及び紙に樹脂をコーティングしたものの群から選ばれる１種である場合は安価且つ容易に作成できる。
更に、本願発明のティーショット用ゴルフ練習具は、円形筒体の外周面にディンプルを備えるため、ショットのスライス回転又はフック回転により弾道が一層明確に判断できる。
また、円形筒体内部にゴルフティー挟持部を備える場合は、いかなる形状のゴルフティーにもティーアップが容易であり、且つこの挟持部がスリットを備えるため、ティーアップが一層容易になる。
他の本願発明のゴルフ練習用マットは、本ティーショット用ゴルフ練習具を容易に縦置きにマット上に設置できる。
【発明を実施するための最良の形態】
【０００９】
以下、本願発明の実施の形態について、図を用いて説明する。本願発明はこれらの図に制限されるものではない。本願発明は、ゴルフのティーショットを実物のゴルフボールの代わりに使用して練習を行うものである。図１は、本願発明のティーショット用ゴルフ練習具の斜視図である。ティーショット用ゴルフ練習具１（以下単に「ゴルフ練習具」ともいう。）は縦長の円筒形状である。縦長とはゴルフ練習具１の外径Ｗ１が立て寸法Ｈ１より小さいことをいう。本願ゴルフ練習具１は縦置き（図３、図４、図５、図８、図９参照）状態で使用して円筒の外周面１１をゴルフクラブのドライバ又はスプーンでショットする。
【００１０】
このゴルフ練習具１は、ゴルフ場においてティーショットする前に自分のショットフォームをチェックするのに適している。即ち、正しいフォームでショットした場合は爽快な打撃音を発してまっすぐな弾道が得られる。ショットが正しくない場合は、このゴルフ練習具１は、平面方向から見た場合に、右回転又は左回転するためにスライス又はフックをし、打撃音もさえないものとなる。また、庭などにおいてもティーショットの練習ができるうえに、後述する本願発明のゴルフ練習用マットを使用すれば屋内においてもティーショットの練習ができる。
【００１１】
このゴルフ練習具１は、材質は可撓性を有する紙、樹脂、アラストマ及びゴムの群のうちから選ばれる少なくとも１種からなる。可撓性とは外部応力により撓めることができ、この外部応力を排除したときは元の状態に復元する性質をいう。可撓性を有すれば、紙、樹脂、エラストマ及びゴムの中のいずれか１種又はこれらの２種以上を併用することもできる。
【００１２】
本発明に使用する紙は可撓性を有すれば特に限定されない。和紙を使用することもできるし、洋紙を使用することもできる。これらの紙のうちで洋紙であって、塗工紙が好ましく用いられる。塗工紙のうちで塗工アート紙が特に好ましい。可撓性に富み、ショットしたときに爽快な音を発し、本物のゴルフボールをショットしたときと同じような感触があるためである。
【００１３】
本発明の使用する樹脂は、可撓性を有するものであれば特に限定されない。例えば、ポリエチレン、ポリプロピレン、ポリブテン、ポリエチレンテレフタラート、エチレン酢酸ビニル共重合体等のポリオレフィン系樹脂、スチレン−ブタジエン−スチレン共重合体の水素添加ブロック共重合体（ＳＥＢＳ）、ポリ塩化ビニル、ポリ酢酸ビニル、ポリ塩化ビニリデン等のビニル系樹脂、ポリフッ化ビニリデン等のフッ素系樹脂・ゴム、ポリメタクリル酸メチル等のアクリル系樹脂・ゴム、ポリスチレン、アクリル−スチレン共重合体、ナイロン−６、ナイロン−６６、ナイロン−１２等のポリアミド系樹脂、ポリエステル系樹脂、及びウレタン樹脂等の熱可塑性樹脂、触媒または熱、光等の外部エネルギーを加えることで硬化するウレタン樹脂、エポキシ樹脂、アクリル樹脂、不飽和ポリエステル樹脂、ビニルエステル樹脂、アクリロニトリル−スチレン−ブタジエン共重合体（ＡＢＳ樹脂等）、スチレン−ブタジエン−スチレン共重合体等が挙げられる。これらのうちで、ポリエチレンテレフタラート、エチレン酢酸ビニル共重合体等のポリオレフィン系樹脂、ナイロン−６、ナイロン−６６、ナイロン−１２等のポリアミド系樹脂が好ましく用いられる。成形性がよく安価なためである
【００１４】
本発明の使用するエラストマは、可撓性を有するものであれば特に限定されない。可撓性を有するエラストマとしてはポリオレフィン系、ポリウレタン系、ポリスチレン系、ポリエステル系、ポリアミド系及びポリ塩化ビニル系等の熱可塑性エラストマが挙げられる。これらのうちで、ポリオレフィン系、ポリウレタン系が好ましく用いられる。成形性に優れるためである。
【００１５】
更に、本発明の使用するゴムは、可撓性を有するものであれば特に限定されない。
可撓性を有するゴムとしては、ブタジエンゴム、１，２−ポリブタジエン、ポリイソプレン、アクリロニトリル−ブタジエンゴム、スチレン−ブタジエンゴム等のジエン系重合体、アクリルゴム、エチレン−プロピレン共重合体、エチレン−プロピレン−非共役ジエン共重合体、シリコーンゴム、フッ素ゴム及びスチレン−イソプレンゴム等が挙げられる。
【００１６】
上述の材質の種類のうちで、紙及び紙に樹脂をコーティングしたものが好ましく用いられる。紙は安価、且つ製作が容易であり上述のように可撓性に富み、ショットしたときに爽快な音を発し、本物のゴルフボールをショットしたときと同じような感触が得られる。また、上記紙に樹脂をコーティングしたものは、紙の強度を増すことができる上に、耐水性を増すことができるためである。本ゴルフ練習具１を作製する前の原材料の紙に樹脂をコーティングすることもできるし、ゴルフ練習具１を作製した後に樹脂をコーティングすることもできる。コーティングに使用する樹脂は、上記した熱可塑性樹脂及び硬化性樹脂のうちの何れか１種又は併用して用いることをできる。
【００１７】
この打撃部１０の外径Ｗ１はゴルフボールの実物が４２．６７ｍｍであることを鑑みると１５ｍｍ〜４０ｍｍ、好ましくは１５ｍｍ〜３０ｍｍ、更に好ましくは１５ｍｍ〜２５ｍｍである。また、高さＨ１は、ドライバヘッドの大きさ等を考慮すると４０ｍｍ〜１００ｍｍ、好ましくは５０ｍｍ〜８０ｍｍ、更に好ましくは６０ｍｍ〜７０ｍｍである。肉厚（外径Ｗ１と内径Ｗ２の差）は、爽快な打撃音を得ること及び飛距離を考慮すると０．０５ｍｍ〜０．５ｍｍ、好ましくは０．０７ｍｍ〜０．４ｍｍ、より好ましくは０．１ｍｍ〜０．２５ｍｍである。
【００１８】
これらのうちで外径が１５ｍｍ〜２５ｍｍ、高さが６０ｍｍ〜７０ｍｍ、肉厚が０．１ｍｍ〜０．２５ｍｍのものが特に好ましい。この範囲であると、飛距離が小さく、破損しにくく、ショットしたときの感じが優れ、且つ爽快な打球音がするからである。
【００１９】
このゴルフ練習具１（円形筒体）の外周面１１は平滑であってもよいが、図２に示すようにディンプル１４を設けることが好ましい。図２（１）は周外面にディンプルを設けた場合の正面図である。このディンプルは凹形状であってもよく、凸形状でもよい。図２（２）は、ディンプルが凹形状である場合の図２（１）に係るＢ−Ｂ断面図であり、図２（３）は、ディンプルが凹形状である場合の図２（１）に係るＢ−Ｂ断面図である。このディンプルの寸法及び数は特に制限はないが、通常の市販のゴルフボールと同等とすることができる。このディンプルを設けると真直ぐ、スライス又はフックの弾道が明確にわかる。
【００２０】
図３は他の本願発明である本ゴルフ練習具１の使用をするゴルフ練習用マットの一例である。本ゴルフ練習用マット２は人工芝層２３と、衝撃吸収層２４とからなり、該人工芝層と衝撃吸収層には平面視正多角形の貫通孔２１を有する。この正多角形は、例えば三角形、四角系、五角形、六角形等のいずれでもよいが、対向する片の距離は、本ゴルフ練習具１の外径Ｗ１とする。このゴルフ練習具１をこの貫通孔２１に挿入設置した後、ゴルフクラブのドライバ等でショットする。上記貫通孔２１が平面視正多角形であると本ゴルフ練習具１を挿入しやすく、且つ、本ゴルフ練習具１と３点以上で接するため、確実に固定され、風等の影響を容易にうけない。上記正多角形のうちで正四角形が特に好ましい。製作が容易あり、且つ確実に固定できるためである。この貫通孔２１は本ゴルフ練習具１の外径Ｗ１と同一の径の円形とすることもできるが、貫通孔２１作製の容易性に欠ける。
【００２１】
図４は本ゴルフ練習具１に使用するゴルフ練習用マットの他の具体例である。このゴルフ練習用マット２は、人工芝層２３と、衝撃吸収層２４と、該衝撃吸収層２４に突設された可撓性のティー３０を備える。図４（１）はこのゴルフ練習用マット２の模式断面図である。図４（２）はこのゴルフ練習用マット２に本ゴルフ練習具１を設置した状態を示す。
【００２２】
この衝撃吸収層２４の材質は弾性を有するゴム、樹脂等であり、ティー３０の材質は可撓性を有するゴム、樹脂等である。この衝撃吸収層２４にティー３０を突設する方法は、一体性成形或いはインサート成形によることができる。好ましくはリング状の溝部を有する嵌通孔を設けた衝撃吸収層２４と、底部にリング状の突出部を備えた可撓性のティー３０を別個独立に成形し、その後、上記嵌通孔に上記ティー３０を嵌合する。ティー３０が破損したときに容易に交換して使用できるためである。
【００２３】
図５は本ゴルフ練習具１の他の使用例を示す。図５（１）は、現在市販されているゴルフティー３０をグランド４０に挿入設置した図である。このゴルフティー３０はゴルフボール載置部の上部が可撓性の支持片からなっている。図５（２）は本ゴルフ練習具１をこのゴルフティー３０に設置した状態を示す。このゴルフティーの可撓性の支持片が本ゴルフ練習具１（円形筒体）の内周面に密着して本ゴルフ練習具１をティーアップする。また、図５（３）は、従来から使用されているゴルフティー３０をグランドに挿入設置した図である。図５（４）は、これに本ゴルフ練習具１をかぶせて設置した図である。
【００２４】
他の本願発明に係るティーショット用ゴルフ練習具１は、図６及び図７に示すように円形筒体の内部にティー挟持部１５を備え、該ティー挟持部１５は内部空洞の円錐台形状であり、円錐台形状の底部１６は、上記円形筒体底部の内周面１２内接され、材質は可撓性を有する紙、樹脂及びエラストマの群のうちから選ばれる少なくとも１種からなり、上記ティー挟持部１５の上部１７から底部１６に向かって、平面視で放射線状の複数のスリット１８を備える
【００２５】
図８はティー３０の頭部をティー挟持部１５で挟持したときの模式断面図である。この図８（１）及び図８（２）が示すようにティー挟持部１５は外側に撓むことによりティー挟持部１５を構成する円錐台内周面でティーの頭部を確実且つ安定に挟持できる。このティー挟持部１５の材質は可撓性であれば特に限定されない。上述の列挙したものを適用できる。
【００２６】
このティー挟持部１５の材質は、円形筒体と同一であってもよいし異なっていてもよい。また、このティー挟持部１５と円形筒体は一体成形をすることもできるし、別々に成形してその後接着剤等で接着して一体としてもよい。  例えば円形筒体をエチレン-酢酸ビニル共重合樹脂としてティー挟持部１５を可撓性で且つ弾性変形の大きい発泡樹脂を用いることもできる。  
【００２７】
このティー挟持部１５の底部１６の直径Ｗ４は上述した円形筒体の内径Ｗ２が適用できる。図８（１）は従来から市販されている一般的なゴルフティーにティーアップした状態であり、この一般的なティーの頭部の直径は約１０ｍｍであり、図６（２）のティーは最近になって市販されているティーにティーアップした状態であり、このティーの頭部の直径は約１５ｍｍである。また、市販されている他のティーの頭部直径も概略この程度である。従って、本ゴルフ練習具１をこれらのティーにティーアップするにはティー挟持部１５の底部１６の直径Ｗ４は２０ｍｍ以上あることが好ましい。
【００２８】
この円錐台形状のティー挟持部１５の上部１７の直径Ｗ３は、上記図８で示すゴルフティー３０の頭部直径より小さい必要がある。好ましくは６ｍｍ〜８ｍｍである。また、この円錐台の高さは特に限定されないが、実物のゴルフボールをティーアップすることを考慮するとＨ１×１／３以下であることが好ましい。また、このティー挟持部１５の取付け位置は図７に示すように、ティー挟持部１５の底部と、円形筒体の底部１３とが一致するように取付けることができるし、または、上記底部同士が一致することなく幾分離れたところに設置することもできる。
【００２９】
図６及び図７に示すように、このティー挟持部１５は平面視で放射線状のスリット１８を備える。図８は図７に係るＢ−Ｂ断面図である。このスリット１８を備えるティー挟持部１５は、可撓性の小さい材質で成形されたものであってもティー３０の頭部を確実且つ安定して挟持できる。例えば、材質が紙等の可撓性の小さいものであってもティー３０の頭部を確実且つ安定して挟持できる。
【００３０】
図８（１）及び図８（２）はスリット付きティー挟持部を備えたゴルフ練習具１をティーアップしたときの模式断面図であって、この図に示すようにティーを挟持したときにスリット１８が開いてこのスリットで仕切られたティー挟持部が外に撓むため、ティーの頭部を確実且つ安定して挟持できる。図９はこのスリット付きティー挟持部を備えたゴルフ練習具１をティーアップしたときの模式斜視図である。  
【実施例】
【００３１】
〔実施例１〕
（１）材質            ：塗工アート紙
（２）寸法            ：肉厚  ０．１２ｍｍ、
高さ  ６０ｍｍ、
外径  １５ｍｍ
上記諸元により、図１のゴルフ練習具を作製した。これを図３のゴルフ練習用マットに設置してドライバで５０回ショットを繰り返した。平均飛距離は６．５ｍであり、破損等の異常はなかった。正確なショットをしたときは弾道がまっすぐであり、爽快な打撃音を発した。スライスショット及びフックショットの場合の打撃音は劣るが実物のゴルフボールをショットした場合と同じ感覚が得られた。
【００３２】
〔実施例２〕
（１）材質            ：塗工アート紙
（２）円形筒体        ：肉厚  ０．１２ｍｍ、
高さ  ６０ｍｍ、
外径  ２０ｍｍ
（３）スリット付きティー挟持部寸法：
肉厚  ０．１２ｍｍ、
高さ  １５ｍｍ、
上部直径  ７ｍｍ
底部直径  １９．８ｍｍ
上記諸元により、図１に示す円形筒体及びティー挟持部を成形し、次いで接着剤を用いて両底部を接着して一体とした、その後この接着部を粘着テープで補強してティーショット用ゴルフ練習具を作製した。これを図８（２）のゴルフティーにティーアップしてドライバで５０回ショットを繰り返した。平均飛距離は７．５ｍであり、破損等の異常はなかった。正確なショットをしたときは弾道がまっすぐであり、爽快な打撃音を発した。スライスショット及びフックショットの場合の打撃音はやや劣るが実物のゴルフボールをショットした場合と同じ感覚が得られた。
【図面の簡単な説明】
【００３３】
【図１】本発明のティーショット用ゴルフ練習具の斜視図である。
【図２】本発明のティーショット用ゴルフ練習具の外周面にディンプルを設けた場合の説明図である。
【図３】本発明のティーショット用ゴルフ練習具を使用するためのゴルフ練習用マットである。
【図４】本発明のティーショット用ゴルフ練習具を使用するための他の態様のゴルフ練習用マットである。
【図５】市販されているゴルフティーに本ティーショット用ゴルフ練習具をティーアップしたときの説明図である。
【図６】ティー挟持部を備えた本ティーショット用ゴルフ練習具の平面図である。
【図７】図６に係るＢ−Ｂ断面図である。
【図８】ティー挟持部を備えた本ティーショット用ゴルフ練習具をティーアップしたときの説明をする一部断面図である。
【図９】ティー挟持部を備えた本ティーショット用ゴルフ練習具をティーアップしたときの説明をする模式斜視図である。
【符号の説明】
【００３４】
１      ティーショット用ゴルフ練習具
１１    外周面
１２    内周面
１３    底部
１４    ディンプル
１４ａ  凹形状のディンプル
１４ｂ  凸形状のディンプル
１５    ティー挟持部
１６    ティー挟持部の底部
１７    ティー挟持部の上部
１８    スリット
２      ゴルフ練習用マット
３０    ゴルフティー
【図１】
2010022611.tif 000003
【図２】
2010022611.tif 000004
【図３】
2010022611.tif 000005
【図４】
2010022611.tif 000006
【図５】
2010022611.tif 000007
【図６】
2010022611.tif 000008
【図７】
2010022611.tif 000009
【図８】
2010022611.tif 000010
【図９】
2010022611.tif 000011